(57)【要約】【課題】  構成部品数が少なく、組み立て工程が単純なフックアセンブリー構造を持つドアアセンブリー、これを利用した洗濯機及び乾燥器を提供する。【解決手段】  本発明は改善されたドアアセンブリー、及びこれを利用した洗濯機、及び乾燥器を開示する。本発明によるドアアセンブリーはヒンジアセンブリー１５０、ドアボディー２００、フックアセンブリー３００、ロックアセンブリー４００を含めてなる。本発明でドアボディー２００に形成される取っ手は外部から見えないようにフレーム２１０内周面に凹んで陷沒するように形成されるので、器機の外観が向上する。フックアセンブリー３００の部品の中でフック３１０が挟まれたシャフト３４０が結合するブラケット３２０はフレーム２１０内側に一体に形成されるので、従来よりフックアセンブリー３００の部品数が少なくなって組み立て工程が単純化されて生産性が向上する。フック３１０を拘束するようにキャビネット１００に設けられるロックアセンブリー４００は、フック拘束装置とロッキング装置を含めてなる。フック拘束装置はフック３１０が挿入された時にフック３１０の弾性力を利用してフック３１０を拘束し、フック３１０が抜けて行く時にフック３１０の拘束を解除する。ロッキング装置は外部の電気的信号によって作動し、フック３１０の拘束状態を維持して外力によって強制的にドアボディー２００が開かれることを防止して故障及び安全事故をあらかじめ予防する。
2005514542.tif 000002
【特許請求の範囲】
【請求項１】
キャビネットの投入口周辺部位一地点に設けられるヒンジアセンブリーと、
前記ヒンジアセンブリーに繋がれて前記投入口を開閉するドアボディーと、
先端部に片側がふくらむように形成されたヘッドと、前記ヘッド他側に突き出た係止突起を持って所定間隔内で弾性力を持った状態で前記ドアボディーに突き出たフックが具備されたフックアセンブリーと、
前記キャビネットの他の一地点に設けられ前記ヘッドが挿入された時には前記フックの弾性力を利用して前記フックを拘束し、前記ヘッドが外部に引き出される時には前記フックの拘束を解除するフック拘束装置と、外部の電気的信号によって作動して前記ヘッドが外部に引き出される時前記係止突起を利用して前記フックの拘束を維持させるロッキング装置とを含むロックアセンブリーと、を含めてなるドアアセンブリー。
【請求項２】
前記ドアボディーは、
透明材質のドアガラスと、
その内周面に前記ドアガラスが固定されるルーフ形態のフレームと、を含めてなる請求項１に記載のドアアセンブリー。
【請求項３】
前記フレームは、
前記ドアガラスを間に置いて両側で相互結合されて、前記ヒンジアセンブリーと少なくともどれか一つが繋がれる内側フレーム及び外側フレームを含めてなる請求項２に記載のドアアセンブリー。
【請求項４】
前記外側フレームに形成される取っ手をさらに含めてなる請求項３に記載のドアアセンブリー。
【請求項５】
前記取っ手は、外部から手を入れて引っぱることができるように前記外側フレームの内周面に凹んで形成される請求項４に記載のドアアセンブリー。
【請求項６】
前記取っ手に手を入れた時、指端部が挿入されてひっかかるように前記取っ手の内側に凹んで形成される指溝がさらに具備される請求項５に記載のドアアセンブリー。
【請求項７】
前記取っ手は、手を入れて引く時に掌と接触する面が曲面に形成される請求項５に記載のドアアセンブリー。
【請求項８】
前記曲面は、掌をおおよそ半分位曲げた時に形成される曲面と対応する曲率を持つ請求項７に記載のドアアセンブリー。
【請求項９】
前記取っ手は、前記外側フレームの内周面一部自体が凹んで形成される請求項５に記載のドアアセンブリー。
【請求項１０】
前記取っ手は、
前記外側フレームの内周面一地点に形成される取っ手ホールと、
前記挿入ホールに挿入されて装着される凹んでいる形状の取っ手ホルダーと、を含めてなる請求項５に記載のドアアセンブリー。
【請求項１１】
前記取っ手の凹んでいる内面には複数の突起が突き出る請求項５に記載のドアアセンブリー。
【請求項１２】
前記取っ手が形成された地点を外部から容易に認知できるように、前記取っ手近くの外部フレーム内周面が傾くように形成される請求項５に記載のドアアセンブリー。
【請求項１３】
前記取っ手が形成された地点を外部から容易に認知できるように、前記取っ手近くの外部フレームに位置表示用マークが形成される請求項５に記載のドアアセンブリー。
【請求項１４】
前記取っ手が形成された地点を外部から容易に認知できるように前記取っ手近くの外部フレームは他の部分と違う色相で成り立つ請求項５に記載のドアアセンブリー。
【請求項１５】
前記取っ手が形成された地点を外部から容易に認知できるように前記取っ手近くの外部フレームは透明材質で成り立つ請求項５に記載のドアアセンブリー。
【請求項１６】
前記フックアセンブリーは、
前記ドアボディー内部空間に突き出された一対のブラケットと、
前記ブラケットの各端部側に両端が固定されるシャフトと、
前記シャフト中間に前記ヘッド反対側端部が結合されて前記ドアボディーに形成されたフックホールを貫くように設けられる前記フックと、
前記フックが前記シャフトを中心に所定間隔内で回動する時、弾性力を付与するスプリングと、を含めてなる請求項１に記載のドアアセンブリー。
【請求項１７】
前記ブラケットは前記ドアボディーと一体に形成される請求項１６に記載のドアアセンブリー。
【請求項１８】
前記スプリングは、前記フックが前記ヘッドのふくらんでいる片側方向に移動する力を持つように設置される請求項１６に記載のドアアセンブリー。
【請求項１９】
前記スプリングは、その一部が前記フックまたは前記フックとともに連動される部分に固定されて、その他の一部が前記ドアボディーに突き出されたスプリングストッパーに支持されるように設置されたトーションスプリングから成る請求項１６に記載のドアアセンブリー。
【請求項２０】
前記ストッパーは前記一対のブラケット中間に形成される請求項１８に記載のドアアセンブリー。
【請求項２１】
前記フック拘束装置は、
前記フックのヘッドが挿入されるように前記キャビネットに形成される第１挿入ホールと対応する第２挿入ホールが形成されて、前記キャビネット内面に固定されるロッキングボディーと、
前記第１、第２挿入ホールと対応する第３挿入ホールが形成されて、前記ヘッドのふくらんでいる片側と前記係止突起にそれぞれ対応する方向の前記第３挿入ホール両側に、接触板とヘッドストッパーがそれぞれ突き出て形成され、前記ロッキングボディー一面に弾性状態でスライディング可能に設置されたスライダーと、を含めてなる請求項１に記載のドアアセンブリー。
【請求項２２】
前記スライダーは、前記フックの弾性力より小さな弾性力を持つ請求項２１に記載のドアアセンブリー。
【請求項２３】
前記スライダーは、
片端が前記スライダーに繋がれて、他端が前記ロッキングボディーに繋がれた圧縮または引張スプリングによって弾性力を持つ請求項２１に記載のドアアセンブリー。
【請求項２４】
前記圧縮または引張スプリングは、
前記ヘッドが前記第１、第２、第３挿入ホールを通じて挿入されながら前記スライダーが片側に移動する時に前記スライダーが復元力を持つように設置される請求項２３に記載のドアアセンブリー。
【請求項２５】
前記接触板は、前記ヘッドが前記第３挿入ホールに挿入される時、前記ヘッドのふくらんでいる片側と接触するように配設される請求項２１に記載のドアアセンブリー。
【請求項２６】
前記ヘッドストッパーは、前記ヘッドが前記第３挿入ホールを通じて完全に挿入された時、前記係止突起と所定距離離隔されて配置され形成される請求項２１に記載のドアアセンブリー。
【請求項２７】
前記ヘッドストッパーは、その上端部が前記フックの係止突起高さより低く形成される請求項２６に記載のドアアセンブリー。
【請求項２８】
前記ヘッドストッパーは、
前記スライダーが固定された状態で前記ヘッドが前記第３挿入ホールから外部に抜ける時、前記ヘッドのふくらんでいる片側によって前記ヘッドが傾くように移動しながら前記係止突起がその上端部にひっかかって固定されるように配置されて形成される請求項２６に記載のドアアセンブリー。
【請求項２９】
前記第２挿入ホールは、
前記ヘッドが傾くように挿入され、抜けることができるように前記ヘッドのふくらんでいる片側と接触する接触面が傾くように形成される請求項２１に記載のドアアセンブリー。
【請求項３０】
前記接触面は、前記ヘッドのふくらんでいる片側の傾斜とおおよそ類似の傾斜を持つ請求項２９に記載のドアアセンブリー。
【請求項３１】
前記ヘッドの未挿入状態時、前記スライダーの位置を固定して前記第２、第３挿入ホールを相互一致させる整列手段がさらに具備される請求項２１に記載のドアアセンブリー。
【請求項３２】
前記整列手段は、
前記スライダーの移動方向と直交する方向のスライダー両側に形成される複数の固定溝と、
一地点に形成された固定突起が前記固定溝に挿入されて先端部が前記第３挿入ホール上に位置して弾性状態でスライディング可能にロッキングボディーに装着される複数の固定片と、を含めてなる請求項３１に記載のドアアセンブリー。
【請求項３３】
前記固定片は、
前記ヘッドが前記第３挿入ホールに進入する時その先端部が前記ヘッドの先端部と接触しながらフツックで押されることで前記固定突起が前記固定溝から離脱するように装着される請求項３２に記載のドアアセンブリー。
【請求項３４】
前記ロッキング装置は、
外部の電気的信号によって前記ロッキングボディーに突き出されるロッキングロードを含むロッキングスィッチと、
前記スライダーに形成されて、前記ロッキングロードの突出時、前記ロッキングロードにひっかかって前記スライダーの移動を制限する掛止手段と、を含めてなる請求項２１に記載のドアアセンブリー。
【請求項３５】
前記掛止手段は、
前記ヘッドが前記第３挿入ホールに完全に挿入され、前記スライダーが片側に完全に移動した位置で前記ロッキングロードの突出時に、前記ロッキングロードにかかる位置に形成される請求項３４に記載のドアアセンブリー。
【請求項３６】
前記掛止手段は、前記スライダーの片側で段差をもって突き出された突出突起である請求項３５に記載のドアアセンブリー。
【請求項３７】
前記掛止手段は、前記ロッキングロードの突出時に、前記ロッキングロードが挿入されるように前記スライダーに貫通形成される貫通ホールである請求項３５に記載のドアアセンブリー。
【請求項３８】
前方に投入口が形成されたキャビネットと、
前記キャビネット内に回転可能に設けられるドラムと、
前記ドラムを回転させるモーターと、
前記投入口周辺部位一地点に設けられるヒンジアセンブリーと、前記ヒンジアセンブリーに繋がれて前記投入口を開閉するドアボディーと、先端部に片側がふくらむように形成されたヘッドと、前記ヘッド他側に突き出された係止突起を持ち、所定間隔内で弾性力を持った状態で前記ドアボディーに突き出されたフックが具備されたフックアセンブリーと、前記キャビネットの他の一地点に設けられ前記ヘッドが挿入された時には前記フックの弾性力を利用して前記フックを拘束し、前記ヘッドが外部に引き出される時には前記フックの拘束を解除するフック拘束装置と、外部の電気的信号によって作動し、前記ヘッドが外部に引き出される時に前記係止突起を利用して前記フックの拘束を維持させるロッキング装置とを含むロックアセンブリーと、を含めてなる洗濯機及び乾燥器。
【請求項３９】
前記ドアボディーは、
透明材質のドアガラスと、
その内周面に前記ドアガラスが固定されるルーフ形態のフレームと、を含めてなる請求項３８に記載の洗濯機及び乾燥器。
【請求項４０】
前記フレームは、
前記ドアガラスを間に置いて両側で相互結合され、前記ヒンジアセンブリーと少なくともどれか一つが繋がれる内側フレーム及び外側フレームを含めてなる請求項３９に記載の洗濯機及び乾燥器。
【請求項４１】
前記外側フレームに形成される取っ手をさらに含めてなる請求項４０に記載の洗濯機及び乾燥器。
【請求項４２】
前記取っ手は、外部から手を入れて引っぱることができるように、前記外側フレームの内周面に凹んで形成される請求項４１に記載の洗濯機及び乾燥器。
【請求項４３】
前記フックアセンブリーは、
前記ドアボディー内部空間に突き出された一対のブラケットと、
前記ブラケットの各端部側に両端が固定されるシャフトと、
前記シャフト中間に前記ヘッド反対側端部が結合されて前記ドアボディーに形成されたフックホールを貫くように設けられる前記フックと、
前記フックが前記シャフトを中心に所定間隔内で回動する時に弾性力を付与するスプリングと、を含めてなる請求項３８に記載の洗濯機及び乾燥器。
【請求項４４】
前記ブラケットは前記ドアボディーと一体に形成される請求項４３に記載の洗濯機及び乾燥器。
【請求項４５】
前記フック拘束装置は、
前記フックのヘッドが挿入されるように前記キャビネットに形成される第１挿入ホールと対応する第２挿入ホールが形成されて、前記キャビネット内面に固定されるロッキングボディーと、
前記第１、第２挿入ホールと対応する第３挿入ホールが形成されて、前記ヘッドのふくらんでいる片側と前記係止突起にそれぞれ対応する方向の前記第３挿入ホール両側に接触板とヘッドストッパーがそれぞれ突き出て形成されて、前記ロッキングボディーの片面に弾性状態でスライディング可能に設置されたスライダーと、を含めてなる請求項３８に記載の洗濯機及び乾燥器。
【請求項４６】
前記スライダーは、前記フックの弾性力より小さな弾性力を持つ請求項４５に記載の洗濯機及び乾燥器。
【請求項４７】
前記第２挿入ホールは、前記ヘッドが傾くように挿入されて抜けることができるように前記ヘッドのふくらんでいる片側に接触する接触面が傾くように形成される請求項４５に記載の洗濯機及び乾燥器。
【請求項４８】
前記ヘッドの未挿入状態時に、前記スライダーの位置を固定して前記第２、第３挿入ホールを相互一致させる整列手段がさらに具備される請求項４５に記載の洗濯機及び乾燥器。
【請求項４９】
前記整列手段は、
前記スライダーの移動方向と直交する方向のスライダー両側に形成される複数の固定溝と、
一地点に形成された固定突起が前記固定溝に挿入されて先端部が前記第３挿入ホール上に位置して弾性状態でスライディング可能にロッキングボディーに装着される複数の固定片と、を含めてなる請求項４８に記載の洗濯機及び乾燥器。
【請求項５０】
前記ロッキング装置は、
外部の電気的信号によって前記ロッキングボディーに突き出るロッキングロードを含むロッキングスイッチと、
前記スライダーに形成されて、前記ロッキングロードの突出時に、前記ロッキングロードにひっかかって前記スライダーの移動を制限する掛止手段と、を含めてなる請求項４５に記載の洗濯機及び乾燥器。
【請求項５１】
前記掛止手段は、
前記ヘッドが前記第３挿入ホールに完全に挿入されて前記スライダーが片側に完全に移動した位置で前記ロッキングロードの突出時に、前記ロッキングロードにひっかかる位置に形成される請求項５０に記載の洗濯機及び乾燥器。
【発明の詳細な説明】
【技術分野】
【０００１】
本発明はヒンジとフック及びロックアセンブリーを持つドアアセンブリー及びこれを利用した洗濯機及び乾燥器に関するものである。
【背景技術】
【０００２】
洗濯機は洗剤と水の作用を利用して衣服についている汚れを落とすように洗濯と濯ぎ及び脱水過程を行う器機であり、その種類は大きく撹拌式(agitator type)と渦流式(pulsator type)及びドラム式(drum type)洗濯機に分けられる。
【０００３】
この中でドラム式は内面に複数のタンブリングリーブ(tumbling ribs)が突き出たドラムの内側に、水と洗剤及び洗濯物を投入して低速回転させ、洗濯物がタンブリングリーブによって上下される衝撃によって洗濯を行う。このようなドラム式は洗濯物の損傷がほとんどなくて、水の使用も少量ですむし、洗濯物がお互いに絡まないという長所がある。
【０００４】
一方、乾燥器は洗濯の完了した濡れた状態の洗濯物を自動的に乾燥させるもののことを言う。このような乾燥器は一般的にキャビネットの内側に設置されたドラムに洗濯物を投入し、前記ドラムを回転させながら前記ドラム内に熱風を供給して洗濯物を乾燥させるように構成される。
【０００５】
そして最近は前記したドラム式洗濯に乾燥器の機能が具備された乾燥兼用ドラム洗濯機が実用化されて徐々にその使用が増加している。
【０００６】
一方、図１はドラム洗濯機と乾燥器及び乾燥兼用ドラム洗濯機の一般的な外部形態をあらわした斜視図である。図１を参照すれば、キャビネット１０は器機の外装を形成して、その片側、例えば前方の片側には外部で洗濯物を投入するように投入口１２が形成される。そしてドラム４０はキャビネット１０内側に回転可能に設けられる。ドアアセンブリーは投入口１２を開閉するように具備され、これはヒンジアセンブリー１５、ドアボディー２０、フックアセンブリー３０、ロックアセンブリーを含めてなる。
【０００７】
ヒンジアセンブリー１５は図２及び図３に図示されたように投入口１２周辺のキャビネット１０一地点に形成される。
【０００８】
そしてドアボディー２０は内側フレーム２２と外側フレーム２３が前後方で相互結合されたリング形状のフレーム２１、前記フレーム２１の内周面に設けられるドアガラス２４、そして前記フレーム２１に形成される取っ手２５を含めてなる。そしてドアボディー２０は投入口１２を開閉するようにヒンジアセンブリー１５に繋がれて固定される。
【０００９】
一方、前記のように構成されたドアボディー２０の取っ手２５は外部から取ることができるようにフレーム２１の一地点、例えば、図１及び図２に図示されたように外側フレーム２３の内周面上に突き出るように形成される。
【発明の開示】
【発明が解決しようとする課題】
【００１０】
しかしながら、このようにリング形状のフレーム２１外面から外部に突き出た取っ手（２５）は器機の全体的な美観を低下させることになるので、外形デザインを大事にする現代消費者たちの購買欲求を低下させるという問題がある。
【００１１】
一方、フックアセンブリー３０はフレーム２１の片側、例えば、図２及び図３に図示されたように内側フレーム２２の一地点に形成される。このようなフックアセンブリー３０はフック３１、スプリング（図示せず）、ブラケット３２を含めてなる。フック３１は片側がふくらむように突き出たヘッドを持っており、ブラケット３２に装着される。ブラケット３２は内側フレーム２２と別途の本体からなる、中央にホール３３が貫通形成される。そしてフック３１はブラケット３２のホール３３に前記ヘッドが挿入された状態で設けられ、前記スプリングは両端がブラケット３２とフック３１にそれぞれ固定されてフック３１に弾性復元力を与える。一方、内側フレーム２２の一地点にはフック３１のヘッドが貫くことができるフックホール２２ｈが形成される。前記のように形成されたフックアセンブリー３０構造において、フック３１とスプリングは前記したようにブラケット３２に装着されて、ブラケット３２はフック３１がフックホール２２ｈを貫くように配置され、内側フレーム２２内面にボルトなどで附着して固定される。このようなフックアセンブリー３０の組み立て構造は図４によく図示されている。
【００１２】
しかし、前記した構造を持つフックアセンブリー３０は別途に具備されたブラケット３２にフック３１とスプリングを組立て、またブラケット３２をボルトなどで内側フレーム２２に固定しなければならないので、その部品数が多くて組み立てが煩わしく生産性が低下するという問題を持っている。
【００１３】
一方、ロックアセンブリーは図示されていないが、フック３１のヘッドを収容してドアボディー２０の閉鎖状態を維持するように、キャビネット１０の他の何れか一地点に形成される。このように形成されるロックアセンブリーは一般的に制御部（図示せず）に送る電気的信号によって外部からドアボディー２０を開くことができないようにフック３１を拘束するか、外部からドアボディー２０を開くことができるようにフック３１の拘束状態を解除する役割を果すようになる。従って、一般的な洗濯機や乾燥器では前記ロックアセンブリーに電源が印加された場合に、ロックアセンブリーがフック３１を拘束するようになるのでドアボディー２０を強制的に開くことができなくなる。
【００１４】
しかし、一般的な洗濯機や乾燥器では前記ロックアセンブリーに電源が印加されてロックアセンブリーがフック３１を拘束しても非常に強い力でドアボディー２０を引っぱると、フック３１がロックアセンブリーから離脱してドアボディー２０が開かれるようになる。従って、ドラムが回転中の場合に力強い外力によってドアボディー２０が開かれる事が発生すれば、故障及び安全事故の発生する危険がある。
【００１５】
本発明は前記した問題を解決するために案出されたもので、その目的は洗濯機及び乾燥器の全体的な美観を高めることができる取っ手構造を持つドアアセンブリー、及びこれを利用した洗濯機及び乾燥器を提供するものである。
【００１６】
本発明の他の目的は、従来より構成部品数が少なく、組み立て工程が単純なフックアセンブリー構造を持つドアアセンブリー、及びこれを利用した洗濯機及び乾燥器を提供するものである。
【００１７】
本発明のまた他の目的は、ドアボディーが強制的に開かれることを防止し、外力による故障及び安全事故を予め予防することができるロックアセンブリー構造を持つドアアセンブリー、及びこれを利用した洗濯機及び乾燥器を提供することである。
【課題を解決するための手段】
【００１８】
前記した目的を果たすための本発明は、キャビネットの投入口の周辺部位の一地点に設けられるヒンジアセンブリーと、前記ヒンジアセンブリーに繋がれて前記投入口を開閉するドアボディーと、先端部に片側がふくらむように形成されたヘッドと前記ヘッド他側に突き出た係止突起を持って所定有隔内で弾性力を持った状態で前記ドアボディーから突き出たフックが具備されたフックアセンブリーと、前記キャビネットの他の一地点に設けられ、前記ヘッドが挿入された時には前記フックの弾性力を利用して前記フックを拘束し、前記ヘッドが外部に引き出される時には前記フックの拘束を解除するフック拘束装置、そして外部の電気的信号によって作動して前記ヘッドが外部に引き出される時、前記係止突起を利用して前記フックの拘束を維持させるロック装置を含むロックアセンブリーと、を含めてなるドアアセンブリーを提供する。
【００１９】
ここで、前記ドアボディーは透明材質のドアガラスと、その内周面に前記ドアガラスが固定されるルーフ形態のフレームと、を含めてなる。
【００２０】
そして前記フレームは、前記ドアガラスを間に置いて両側から相互結合して、前記ヒンジアセンブリーと少なくともどれか一つが繋がれる内側フレーム及び外側フレームを含めてなる。
【００２１】
一方、本発明では前記外側フレームに形成される取っ手を更に含めてなり、前記取っ手は、外部から手を入れて引っぱることができるように前記外側フレームの内周面に凹んで形成される。また発明では、前記取っ手に手を入れた時、指端部が挿入されてひっかかるように前記取っ手の内側に凹んで形成される指溝がさらに具備されることができる。
【００２２】
また、前記取っ手は、手を入れて引っぱる時、掌と接触する面が曲面に形成されることができ、前記曲面は、例えば、掌をおおよそ半分程度曲げた時に形成される曲面と対応する曲率を持つ。
【００２３】
このように形成される取っ手は、前記外側フレームの内周面の一部自体が凹んで形成されてなるか、前記外側フレームの内周面一地点に形成される取っ手ホールと、前記挿入ホールに挿入されて装着される凹んだ形状の取っ手ホルダーと、を含めてなる。
【００２４】
そして、前記取っ手の凹んでいる内面には複数の突起が突き出ることができる。
【００２５】
一方、本発明によるドアアセンブリーでは、前記取っ手が形成された地点を外部から容易に認知できるように、前記取っ手近くの外部フレーム内周面が傾くように形成されるか、前記取っ手近くの外部フレームに位置表示用マークが形成されるか、前記取っ手近くの外部フレームは他の部分と違う色相からなることができ、前記取っ手近くの外部フレームが透明材質から成ることもできる。
【００２６】
一方、本発明によるドアアセンブリーで、前記フックアセンブリーは、前記ドアボディー内部空間に突き出た一対のブラケットと、前記ブラケットの各端部側に両端が固定されるシャフトと、前記シャフト中間に前記ヘッド反対側端部が結合されて前記ドアボディーに形成されたフックホールを貫くように設けられる前記フックと、前記フックが前記シャフトを中心に所定間隔内で回動する時、弾性力を付与するスプリングと、を含めてなる。このように形成されたフックアセンブリーで、前記ブラケットは前記ドアボディーと一体に形成される。
【００２７】
本発明によるドアアセンブリーで、前記スプリングは、前記フックが前記ヘッドのふくらんでいる片側方向に移動する力を持つように設けられる。このようなスプリングは、その一部が前記フックまたは前記フックとともに連動される部分に固定されて、その他の一部が前記ドアボディーに突き出たスプリングストッパーに支持されるように設置されたトーションスプリングからなる。      
ここで、前記ストッパーは前記一対のブラケット中間に形成される。
【００２８】
一方、前記フック拘束装置は、前記フックのヘッドが挿入されるように前記キャビネットに形成される第１挿入ホールと対応する第２挿入ホールが形成されて、前記キャビネット内面に固定されるロッキングボディーと、前記第１、第２挿入ホールと対応する第３挿入ホールが形成され、前記ヘッドのふくらんでいる片側と前記係止突起にそれぞれ対応する方向の前記第３挿入ホール両側に接触板とヘッドストッパーがそれぞれ突き出て形成され、前記ロッキングボディーの片面に弾性状態でスライディング可能に設置されたスライダーと、を含めてなる。
【００２９】
ここで、前記スライダーは前記フックの弾性力より小さな弾性力を持つ。このような前記スライダーは、一応が前記スライダーに繋がれて、他端が前記ロッキングボディーに繋がれた圧縮または引張スプリングによって弾性力を持つようになる。そして、もうちょっと具体的には前記圧縮または引張スプリングは、前記ヘッドが前記第１、第２、第３挿入ホールを通じて挿入されながら前記スライダーが片側に移動する時、前記スライダーが復元力を持つように設けられる。
【００３０】
一方、前記接触板は、前記ヘッドが前記第３挿入ホールに挿入される時、前記ヘッドのふくらんでいる片側と接触するように配置されて設けられる。
【００３１】
そして前記ヘッドストッパーは、前記ヘッドが前記第３挿入ホールを通じて完全に挿入された時、前記係止突起と所定距離(通り)離隔して配置されて形成される。このような前記ヘッドストッパーは、その上端部が前記フックの係止突起高さより低く形成される。また、前記ヘッドストッパーは、前記スライダーが固定された状態で前記ヘッドが前記第３挿入ホールから外部に抜けて行く時、前記ヘッドのふくらんでいる片側によって前記ヘッドが傾くように移動しながら前記係止突起がその上端部にひっかかって固定されるように配置されて形成される。
【００３２】
本発明によるドアアセンブリーのロックアセンブリーで、前記第２挿入ホールは、前記ヘッドが傾くように挿入されて抜けることができるように前記ヘッドのふくらんでいる片側と接触する接触面が傾くように形成される。この時、前記接触面は、前記ヘッドのふくらんでいる片側の傾斜とおおよそ類似の傾斜を持つ。
【００３３】
一方、本発明によるドアアセンブリーのロックアセンブリーでは、前記ヘッドの未挿入状態時、前記スライダーの位置を固定して前記第２、第３挿入ホールを相互一致させる整列手段が更に具備される。ここで、前記整列手段は、前記スライダーの移動方向と直交する方向のスライダー両側に形成される複数の固定溝と、一地点に形成された固定突起が前記固定溝に挿入されて先端部が前記第３挿入ホール上に位置して弾性状態でスライディング可能にロッキングボディーに装着される複数の固定片と、を含めてなる。そして前記固定片は、前記ヘッドが前記第３挿入ホールに進入する時、その先端部が前記ヘッドの先端部と接触しながら後側に押されることで、前記固定突起が前記固定溝から離脱するように装着される。
【００３４】
本発明によるドアアセンブリーのロックアセンブリーでは、前記ロッキング装置は、外部の電気的信号によって前記ロッキングボディーから突き出されるロッキングロードを含むロッキングスィッチと、前記スライダーに形成されて、前記ロッキングロードの突出時に、前記ロッキングロードにひっかかって前記スライダーの移動を制限する掛止手段と、を含めてなる。
【００３５】
ここで、前記掛止手段は、前記ヘッドが前記第３挿入ホールに完全に挿入されて前記スライダーが片側に完全に移動した位置で前記ロッキングロードの突出時に、前記ロッキングロードにひっかかる位置に形成される。このように形成される掛止手段は前記スライダーの片側に突き出した突出突起からなり、前記ロッキングロードの突出時に、前記ロッキングロードが挿入されることができるように前記スライダーに貫通形成される貫通ホールからなることもできる。
【００３６】
一方、前記した目的を果たすための本発明はまた、前方に投入口が形成されたキャビネットと、前記キャビネット内に回転可能に設けられるドラムと、前記ドラムを回転させるモーターと、前記投入口の周辺部位の一地点に設けられるヒンジアセンブリーと、前記ヒンジアセンブリーに繋がれて前記投入口を開閉するドアボディーと、先端部に片側がふくらむように形成されたヘッドと、前記ヘッド他側に突き出た係止突起を持ち、所定間隔内で弾性力を持った状態で前記ドアボディーから突き出たフックが具備されたフックアセンブリーと、前記キャビネットの他の一地点に設けられ、前記ヘッドが挿入された時には前記フックの弾性力を利用して前記フックを拘束し、前記ヘッドが外部に引き出される時には前記フックの拘束を解除するフック拘束装置と、外部の電気的信号によって作動して前記ヘッドが外部に引き出される時、前記係止突起を利用して前記フックの拘束を維持させるロッキング装置とを含むロックアセンブリーと、を含めてなる洗濯機及び乾燥器を提供する。
【発明を実施するための最良の形態】
【００３７】
本発明の特徴及び長所は後に続く本発明の実施例の詳細な説明とともに、次に添付された図面を参考して更に明らかに理解することができるだろう。
【００３８】
以下、前記目的が具体的に実現することができる本実施例が添付された図面を参照にして説明する。
【００３９】
本実施例を説明するに当たって、同一構成に対しては同一名称及び符号が使われるので、これによる付加的な説明及び重複される説明は下記にて省略される。
【００４０】
本発明による洗濯機及び乾燥器の外部様は図５によく図示されている。
【００４１】
図５を参照すれば、本発明による洗濯機及び乾燥器は、キャビネット１００、ドラム５００、タブ（図示せず）、ドアアセンブリー、モーター（図示せず）を含めてなるキャビネット１００は洗濯機及び乾燥器の外装を形成する。そしてキャビネット１００の外部片側、例えば前方片側には洗濯物の投入と取り出しが可能な投入口１２０が貫通して形成される。  
キャビネット１００の内側には円筒状のドラム５００が回転可能に設けられる。このようなドラム５００は水平面に対して水平になるように設けられるか、投入口１２０と対応する開口部がちょっと上側に位置するように水平面に対して些か傾くように設けられる。そしてこのように設けられるドラム５００には複数の通孔５１０が形成される。そしてドラム５００の内面にはドラム５００の回転時、洗濯物を上側に持ち上げることができるように複数のタンブリングリーブ５２０が突き出て形成される。
【００４２】
タブ（図示せず）は円筒状に形成されて、キャビネット１００の内側にドラム５００を取り囲むように設けられる。そしてモーター（図示せず）はドラム５００を回転させるようにキャビネット１００の内側に設けられる。
【００４３】
ドアアセンブリーはキャビネット１００の投入口１２０を開閉するように設けられる。本発明によるドアアセンブリーの全体的な構造は図５、図６、また、図１０に詳しく現わされている。これらの図面を参照すれば、本発明によるドアアセンブリーは、ヒンジアセンブリー１５０、ドアボディー２００、フックアセンブリー３００、ロックアセンブリー４００を含めてなり、その詳細な構成について図面を参照して説明すれば次の通りである。
【００４４】
ヒンジアセンブリー１５０は図１０に図示されたようにキャビネット１００の投入口１２０の周辺部位の一地点に装着される。
【００４５】
ドアボディー２００は図６及び図１０に図示されたように、片側がヒンジアセンブリー１５０に繋がれて投入口１２０を開閉する。
【００４６】
このように設けられるドアボディー２００は、ルーフ形態のフレーム２１０とフレーム２１０の内周面に固定されるドアガラス２４０を含めてなる。ここで、ドアガラス２４０は透明材質からなり、フレーム２１０は外側フレーム２３０と内側フレーム２２０とを含めてなる。外側フレーム２３０と内側フレーム２２０はドアガラス２４０を間に置いて両側、例えばそれぞれ前方と後方で相互結合される。このように結合されれば、ドアガラス２４０の外周面がルーフ形態、例えばリング形態のフレーム２１０の内周面に挟まれた状態で支持される。一方、内側フレーム２２０と外側フレーム２３０の中、少なくともどれか一つはヒンジアセンブリー１５０に繋がれる。ドアボディー２００が前記のように構成されれば、ドアボディー２００を回動させてキャビネット１００の投入口１２０を開放させるか、閉鎖することができるようになる。
【００４７】
一方、本発明によるドアアセンブリーでは、図６に図示されたように取っ手２５０が更に具備される。
【００４８】
このような取っ手２５０は外部から手を入れて引っぱることができるように、フレーム２１０、例えば外側フレーム２３０の片側、更に具体的には外側フレーム２３０の内周面に凹んで形成される。
【００４９】
本発明で、前記のように形成される取っ手２５０は図７に図示されたように外側フレーム２３０の内周面一部自体が内側、即ち外側フレーム２３０の内周面側に凹んで陷沒して形成されることができる。また本発明で、取っ手２５０は、別途に本体に製作されて外側フレーム２３０の内周面に挿入されて設けられることもできる。この場合、取っ手２５０は図8に図示されたように取っ手ホール２５１と取っ手ホルダー２５２を含めてなる。ここで、取っ手ホール２５１は外側フレーム２３０の内周面の一地点に貫通形成されて、取っ手ホルダー２５２は片側が凹んで陷沒した形状で形成されて外側フレーム２３０の取っ手ホール２５１に挿入されて装着される。
【００５０】
前記のように形成された取っ手２５０は図７及び図８に図示されたように手を入れて引っぱる時、掌と接触する面が平たく形成されることもできるが、図９に図示されたように曲面で形成されることもできる。掌と接触する面が曲面で形成される場合、その曲面はユーザーが楽に取っ手２５０に手を入れることができるように、掌をおおよそ半分程度曲げた時に形成される曲面と対応する曲率を持つことが望ましい。このように掌と接触する面が曲面で形成されれば平面で形成されるよりユーザーが力を效率的に使ってドアボディー２００を引っぱることができるようになる。
【００５１】
そして、本発明によるドアアセンブリーではユーザーの便宜のために取っ手２５０に指溝２５３が更に具備される。ここで指溝２５３は図９に図示されたようにユーザーが取っ手２５０に手を入れた時、指端部が挿入されてかかるようにユーザーの掌と接触する取っ手２５０の内面の一地点に凹んで形成される。このように指溝２５３が形成されれば、ユーザーが取っ手２５０に手を入れた時、指端部が指溝２５３に安定的に挿入されるのでユーザーが力をさらに效率的に使うことができるようになる。
【００５２】
一方、本発明によるドアアセンブリーではユーザーの掌と接触する取っ手２５０面に複数のすべり止め突起２５４が突出するように形成される。このように複数のすべり止め突起２５４が形成されれば、ユーザーが取っ手２５０に手を入れて引っぱる時、手が滑ることを防止することができる。
【００５３】
前記のように取っ手２５０がフレーム２１０の内周面に凹んで形成される本発明では、ユーザーが外部で取っ手２５０の位置を分かり易く便宜を提供することが望ましい。このために本発明では多様な構造が提供され、これを詳しく説明すれば次の通りである。
【００５４】
まず、取っ手２５０が形成された地点を外部から容易に認知できるように、図９に図示されたように取っ手２５０近くの外側フレーム２３０の内周面、例えば、内周面の上側部分が傾くように形成されることができる。このように形成されれば、外部から見てフレーム２１０の一部分だけが傾くように形成されているので外部から取っ手２５０の位置を容易に識別することができる。
【００５５】
そして、取っ手２５０が形成された地点を外部から容易に認知できるように、取っ手２５０近くの外側フレーム２３０表面に位置表示用マーク（図示せず）を形成することもできる。このような位置表示用マークは取っ手２５０の位置を知らせる目的を含みながらも洗濯機及び乾燥器の全体的な外観に合うようにデザインすることが望ましい。例えば、本来製品に刻印されるか、印刷または附着する製品のロゴまたは自社ロゴなどを位置表示用マークの代用として使うこともできるだろう。
【００５６】
また取っ手２５０が形成された地点を外部から容易に認知できるように、取っ手２５０近くの外側フレーム２３０を他の部分と違う色相で構成するか、透明材質で形成することも可能である。この場合にもやはり、洗濯機及び乾燥器の全体的な外観に合うようにデザインしなければならないだろう。
【００５７】
取っ手２５０を外部から容易に識別することができるように位置表示用マークを形成するか、外側フレーム２３０の一部を他の色相または透明に形成する実施例は、前記した説明だけでも誰もが容易に理解することができることなので図面に示していない。
【００５８】
前記のように取っ手２５０がフレーム２１０の内周面に凹んで形成される本発明は、外部から取っ手２５０が見えないので洗濯機及び乾燥器全体の外観を向上させることができるようになる。
【００５９】
一方、本発明によるドアアセンブリーで、フックアセンブリー３００は図１１に図示されたようにブラケット３２０、シャフト３４０、フック３１０、スプリング３３０を含めてなる。
【００６０】
ブラケット３２０はドアボディー２００のフレーム２１０、例えば内側フレーム２２０内面でドアボディー２００内部空間、具体的にはフレーム２１０の内部空間に突き出る。  このようなブラケット３２０は一対が具備されてドアボディー２００、具体的にはフレーム２１０と一体に形成されて突き出て、その端部には後述するシャフト３４０が挿入されることができるシャフトホールが貫通形成される。
【００６１】
シャフト３４０は図１１に図示されたようにブラケット３２０に形成されたシャフトホールに両端部がそれぞれ挿入されるように設けられる。
【００６２】
フック３１０は図１０及び図１１に示されたように、その先端部にヘッド３１１が形成されて他端部はシャフト３４０に挟まれて支持される。ヘッド３１１はその片側がふくらむように突き出て形成される。そしてヘッド３１１のふくらんでいる反対側の先端部には係止突起３１２が突き出される。このように形成されたフック３１０はシャフト３４０にヘッド３１１の反対側の端部が結合して、ドアボディー２００、具体的にはフレーム２１０に形成されたフックホール２２１を貫くように設けられる。この時、フック３１０がフックホール２２１の大きさによって決まる所定の間隔の範囲内で左右または上下方向に回動する時、弾性力を持つようにスプリング３３０が設けられる。
【００６３】
スプリング３３０はフック３１０がシャフト３４０を中心に所定の間隔内で回動する時、弾性力を与えるようになる。このようなスプリング３３０はフック３１０がヘッド３１１のふくらんでいる片側方向に移動する力を持つように設けられる。このようなスプリング３３０は図１１に示されたように、その一部がフック３１０またはフック３１０と共に連動する部分、例えばシャフト３４０に固定されて、その他の一部がドアボディー２００、具体的にはフレーム２１０から突き出たスプリングストッパー３４０に支持されるように設けられる。ここで、スプリングストッパー３４０は一対のブラケット３２０の間に位置するようにフレーム２１０から突き出ている。このように設けられるスプリング３３０は例えばトーションスプリングで構成される。
【００６４】
このようにスプリング３３０は、一端部がフック３１０またはフック３１０と回動する部分に固定されて、他端部が回動しない固定部分に固定されるように設けられれば良い。  すなわち、シャフト３４０がブラケット３２０のシャフトホールに挟まれて固定されて、フック３１０がシャフト３４０に対して回動可能に設置けられた場合にはスプリング３３０の一端部はフック３１０に固定されて、他端部は回動しない部分、すなわち、シャフト３４０、ブラケット３２０、スプリングストッパー３４０に固定される。そしてシャフト３４０がフック３１０とともに回動することができるように構成された場合には、スプリング３３０の一端部はフック３１０またはシャフト３４０に固定されて、他端部はブラケット３２０またはスプリングストッパー３４０に固定される。
【００６５】
一方、本発明によるドアアセンブリーにおいて、ロックアセンブリー４００はフック拘束装置、そしてロッキング装置を含めてなる。このようなドアアセンブリーの詳しい構造及び作動原理は図１２ないし図１７に詳しく示されており、これを参照して詳しく説明する。
【００６６】
フック拘束装置はキャビネット１００の他の一地点、例えば内面一地点に設けられ、ヘッド３１１が挿入された時にはフック３１０の弾性力を利用してフック３１０を拘束し、ヘッド３１１が外部に引き出される時にはフック３１０の拘束を解除するように構成される。このようなフック拘束装置は図１２及び図１３に図示されたロッキングボディー４１０、そしてスライダー４２０を含めてなる。
【００６７】
ロッキングボディー４１０はキャビネット１００の内面に固定されて、その一地点には第２挿入ホール４１１が貫通形成される。ここで、ロッキングボディー４１０は第２挿入ホール４１１がキャビネット１００に形成される第１挿入ホール１０１に対応するように配置されて固定される。参考として、第１挿入ホール１０１はドアボディー２００から突き出たフック３１０、特にヘッド３１１が挿入されることができるようにキャビネット１００に形成される。一方、フック３１０のヘッド３１１が第２挿入ホール４１１を通じて挿入される時、ヘッド３１１のふくらんでいる一面と接触する第２挿入ホール４１１の接触面４１１ａは傾くように形成される。これは、ヘッド３１１が挿入されて外部に抜ける時に傾くように移動するようにするためであり、その傾斜はヘッド３１１のふくらんでいる片側の傾斜とおおよそ類似に形成されることが望ましい。
【００６８】
スライダー４２０はロッキングボディー４１０の一面、具体的にはキャビネット１００に附着した面の反対面に弾性状態でスライディング可能に設けられる。このように設置されたスライダー４２０の一地点には第１挿入ホール１０１と第２挿入ホール４１１に対応する第３挿入ホール４２１が貫通形成される。そして、第３挿入ホール４２１の両側には接触板４２３とヘッドストッパー４２４がそれぞれ突き出ているが、接触板４２３は第３挿入ホール４２１を通じてフック３１０が挿入された時、ヘッド３１１の突き出た片側に対応する部分に形成され、ヘッドストッパー４２４は係止突起３１２に対応する方向に形成される。ここで、接触板４２３はヘッド３１１が第３挿入ホール４２１に挿入される時、ヘッド３１１のふくらんでいる片側と直接接触するように配置される。そしてヘッドストッパー４２４はヘッド３１１が第３挿入ホール４２１を通じて完全に挿入された時、図１３及び図１４に図示されたように係止突起３１２と所定距離離隔して配置されて形成されて、その上端部がフック３１０の係止突起３１２の高さより低く位置するように形成される。また、ヘッドストッパー４２４は図１７に図示されたようにスライダー４２０が固定された状態でヘッド３１１が第３挿入ホール４２１から外部に抜ける時、ヘッド３１１のふくらんでいる片側によってヘッド３１１が傾くように移動しながら抜けるようになり、  この時、係止突起３１２がその上端部にひっかかってそれ以上ヘッド３１１が外部に抜けることができず固定されるように配置されて形成される。
【００６９】
前記のように構成されたスライダー４２０は引張または圧縮スプリングによって弾性力が与えられる。
【００７０】
本発明の明細書では説明の便宜のために圧縮スプリングの例で説明する。スライダー４２０に弾性力を与える圧縮スプリング４２５は、その一端がスライダー４２０に固定されて、他端がロッキングボディー４１０に固定されるように設けられる。このように圧縮スプリング４２５によって弾性力を受けたスライダー４２０はフック３１０の弾性力より小さな弾性力を持つようになり、このためにフック３１０に設けられるスプリング３３０よりスライダー４２０に設けられる圧縮スプリング４２５が更に僅かな弾性復元力を持つ。このようにスプリング３３０と圧縮スプリング４２５との弾性力が相互に違うように構成されることで、フック３１０が第３挿入ホール４２１を通じて進みながらヘッド３１１と接触板４２３が接触する時、接触板４２３が片側から押されながらスライダー４２０が全体的に移動することができるようになる。この時、圧縮スプリング４２５は前記のようにスライダー４２０が移動する時に圧縮スプリング４２５は圧縮されて弾性エネルギーを持つようになり、ヘッド３１１が外部に抜ける時、弾性復元力により再びスライダー４２０を原位置に復帰させるように設けられる。スライダー４２０に弾性力を与えるスプリングの例として、前記では圧縮スプリング４２５が挙げられているが、これは引張スプリングにも等しく適用されることができる。
【００７１】
一方、本発明によるドアアセンブリーで、フック拘束装置には整列手段４３０が更に具備される。整列手段４３０はヘッド３１１が第１、第２、第３挿入ホール１０１、４１１、４２１に挿入されない状態にある時、スライダー４２０の位置を固定して、第１、第２、第３挿入ホール４２１を相互に一致させる役割を果す。このような役割を果す整列手段４３０は、図１２と図１３及び図１５に図示されたようにスライダー４２０に形成される複数の固定溝４２６とロッキングボディー４１０に弾性状態で装着される複数の固定片４３１を含めてなる。
【００７２】
固定溝４２６はスライダー４２０の移動方向と直交する方向のスライダー４２０両側に複数、例えば一対が凹んで形成される。
【００７３】
そして固定片４３１は片側地点に形成された固定突起４３２がスライダー４２０の固定溝４２６に挿入され、その先端部が第３挿入ホール４２１上に位置するように配置されて弾性状態でスライディング可能にロッキングボディー４１０に装着される。このような固定片４３１は固定溝４２６にそれぞれ対応するように設けられる。一方、前記図面では固定片４３１に弾性力を付ける弾性スプリングは図示しなかった。固定片４３１が前記のように設けられれば、ヘッド３１１が進まなかった時、スライダー４２０は固定片４３１によってその位置が固定される。前記のように設けられた固定片４３１はまた、ヘッド３１１が第３挿入ホール４２１に進む時、その先端部がヘッド３１１の先端部と接触しながら後側に押されるように配置される。固定片４３１の先端部が前記のように配置されれば、ヘッド３１１の進む時、先端部がヘッド３１１によって押されることによって固定溝４２６に挿入されていた固定突起４３２が固定溝４２６から離脱するようになり、スライダー４２０の固定が解除されてヘッド３１１によって接触板４２３が押されながらスライダー４２０が共に移動することができるようになる。
【００７４】
一方、ロッキング装置は外部の電気的信号によって作動し、ヘッド３１１が外部に引き出される時、フック３１０の係止突起３１２を掛けてフック３１０の拘束状態を維持させる役割を果す。このようなロッキング装置はロッキングスイッチと、掛止手段を含めてなる。
【００７５】
前記ロッキングスイッチは、外部の電気的信号で作動する一種のソレノイドスイッチからなり、ロッキングボディー４１０の内側に装着される。このようなロッキングスイッチは外部から電気的信号が入力されればロッキングボディー４１０から外部、更に具体的にはスライダー４２０が装着された面側の外部に突き出るロッキングロード４４０を含めてなる。そして前記ロッキングスイッチに電気的信号を入力するようにロッキングボディー４１０の片側には配線４１３に繋がれたコネクター４１２が接続される。このように形成されるロッキングスイッチには洗濯機及び乾燥器の作動とともに電気的信号が入力されて、外部からコントロールパネルを操作して任意に電気的信号を入力することもできる。
【００７６】
掛止手段はスライダー４２０に形成され、ロッキングロード４４０の突出時に、ロッキングロード４４０にひっかかってスライダー４２０の移動を制限する役割を果す。このような掛止手段は多様な構造に形成されることができ、その代表的なものとしては突出突起４２７と貫通ホール（図示せず）がある。ここで、突出突起４２７はスライダー４２０の片側から段になるように突出され、その位置はロッキングロード４４０に接触してひっかかる部分、または片面が図１３及び図１６に図示されたように第３挿入ホール４２１にヘッド３１１が挿入されてスライダー４２０が最大限に移動した時にロッキングロード４４０が突き出る部分と対応する位置に形成される。そして図示しなかったが、掛止手段は突出突起４２７と等しい位置に形成される突出部からなることもできる。
【００７７】
一方、前記貫通ホールは第３挿入ホール４２１にヘッド３１１が挿入されてスライダー４２０が最大限に移動した時、ロッキングロード４４０が突き出る部分と対応するスライダー４２０片側の地点に貫通して形成される。このように形成される貫通ホールは前記説明により誰もが容易に理解することができるので図面には図示しなかった。
【００７８】
前記のように構成されたフックアセンブリー３００とロックアセンブリー４００は次のように作動することで、ドアボディー２００の閉鎖状態及びロッキング状態を維持して解除するようになる。
【００７９】
まず、ドアボディー２００がヒンジアセンブリー１５０を中心に回動して投入口１２０を閉鎖すれば、フック３１０が第１、第２、第３挿入ホール１０１、４１１、４２１に挿入される。この時、フック３１０は図１４に図示されたようにヘッド３１１のふくらんでいる一面がロッキングボディー４１０の傾いた接触面４１１ａに接触した状態で傾くように挿入される。
【００８０】
フック３１０が順次に挿入されることによってフック３１０のヘッド３１１は固定片４３１の先端部を両側から押すようになるので、固定突起４３２が固定溝４２６で離脱してスライダー４２０の固定が解除される。そしてヘッド３１１のふくらんでいる片側がスライダー４２０の接触板４２３と接触しながら挿入されれば、フック３１０に装着されたスプリング３３０の弾性力がスライダー４２０に装着された圧縮スプリング４２５の弾性力より強いのでスライダー４２０は徐々に片側から押されるようになる。
【００８１】
フック３１０が完全に挿入されれば、図１３に図示されたようにロッキングスイッチのロッキングロード４４０が外部に露出され、図１４に図示されたようにフック３１０が接触面４１１ａに安着した状態でスプリング３３０の弾性力によってドアボディー２００の閉鎖状態が維持されるようになる。この時、フック３１０の係止突起３１２とヘッドストッパー４２４は所定距離の間隔を維持するようになる。
【００８２】
フック３１０が弾性状態で傾いた接触面４１１ａに接触してドアボディー２００の閉じた状態を維持した状態で、ドアボディー２００を開くと、フック３１０が第１、第２、第３挿入ホール１０１、４１１、４２１から抜けることになる。この時、フック３１０のヘッド３１１は傾くように形成された接触面４１１ａのため、ヘッド３１１はヘッドストッパー４２４側から傾くように後退しながら抜け出る。そしてフック３１０のヘッド３１１が抜け出ると同時にスライダー４２０は圧縮スプリング４２５の弾性復元力によって再び原位置に移動するようになる。従って、フック３１０の係止突起３１２とスライダー４２０のヘッドストッパー４２４は、いつも所定間隔を維持するようになるのでヘッドストッパー４２４に係止突起３１２がひっかからずにフック３１０が第１、第２、第３挿入ホール４２１から完全に抜け出ることができる。
【００８３】
一方、外部からロッキングスイッチに電気的信号が入力されれば、図１６に図示されたようにロッキングロード４４０がロッキングボディー４１０から突き出て、ロッキングロード４４０に掛止手段、例えば突出突起４２７がひっかかってスライダー４２０の移動が制限される。このようにロッキングロード４４０が突き出た状態でドアボディー２００が開かれるようになれば、フック３１０が第３挿入ホール４２１から徐々に抜けるようになるが、この時、スライダー４２０は前記ロッキング装置によって移動が制限されるので、圧縮スプリング４２５の弾性復元力が作用しても原位置に復帰しない。
【００８４】
したがってスライダー４２０とともにヘッドストッパー４２４が固定された状態でフック３１０のヘッド３１１がヘッドストッパー４２４側に傾くように後退するようになれば、図１７に図示されたようにフック３１０の係止突起３１２がヘッドストッパー４２４の先端部にひっかかって固定されるので、フック３１０はそれ以上抜け出られなくなり、ドアボディー２００はそれ以上開かれない。このような原理によってロッキングスイッチに電気的信号が入力された状態でドアボディー２００を開くようになってもドアボディー２００の閉じた状態は維持されるようになるのである。
【００８５】
フックアセンブリー３００とロックアセンブリー４００が前記のように構成されれば、洗濯機及び乾燥器が作動しながらロッキング装置が作動した場合には外力を利用してドアボディー２００を開放することができないので故障及び安全事故を予防することができる。
【００８６】
一方、前記したドアアセンブリーを持つ本発明は、洗濯機及び乾燥器にすべて適用することができる。
【００８７】
本発明が洗濯機に適用される場合、本発明による洗濯機は、前記したようにキャビネット１００、ドラム５００、前記タブ、前記モーター、倍数装置、洗剤ボックス、給水装置などを含めてなる。そして本発明が乾燥兼用洗濯機に適用される場合には前記した構成の外にも、ドラム内部の空気を循環させることができる多数のタクト、前記空気をタクトを経由させて循環させるための循環ファン、前記空気を加熱するためのヒーター及び前記タクト内を経由する空気に含まれた水気を凝縮させ、とり除くための凝縮装置がさらに具備される。一方、図面の未説明符号１３０は洗剤を保存した後、ドラム５００内に供給するための洗剤ボックスである。
【００８８】
本発明が乾燥器に適用される場合、本発明による乾燥器は、前記したようにキャビネット１００、ドラム５００、前記タブ、前記モーター、倍数装置、ドラム５００内部の空気を循環させるための循環タクト、空気を前記循環タクトを経由させて循環させるための循環ファン、前記空気を加熱するためのヒーター、前記空気内に含まれた水気を凝縮してとり除くための凝縮装置がさらに具備される。勿論、本発明による乾燥器は場合によっては凝縮装置が具備されずに、ドラム内で乾燥を遂行した湿った空気を外部に直接排出する排気式構造で成り立つこともできる。
【００８９】
前記のような構成要素を含めてなる本発明による洗濯機及び乾燥器では前記した本発明によるドアアセンブリー構造が等しく適用されるので、これに対する重複説明は以下で略する。また、前記した本発明によるドアアセンブリー構造を除いた洗濯、乾燥のための諸般の構成要素は一般的なことなので本明細書では別途に図示しなかった。
【００９０】
一方、前記でいくつかの実施例が説明されたにもかかわらず、本発明が異意主旨及び範疇から脱することなしに他の色々な形態に具体化されることができるという事実は、該当技術に通常の知識を持った人々には自明なものである。
【００９１】
したがって、前述された実施例は制限的なものではない例示的なものと考えられなければならず、添付された請求項及び異意同等範囲内のすべての実施例は本発明の範疇内に含まれる。
【産業上の利用可能性】
【００９２】
前記した構成を持つ本発明は次のような長所を持つ。
【００９３】
第一、外部から見えないように取っ手がドアボディー内周面に凹んで形成されるので、洗濯機及び乾燥器の全体的な美観を高めることができ、消費者の購買欲求を催すことができる。
【００９４】
第二、フックアセンブリーの構成部品数が従来より少なく、組み立て工程が単純になるのでドアアセンブリーと洗濯機及び乾燥器の生産性が向上する。
【００９５】
第三、ロッキング装置を作動させれば係止突起とヘッドストッパーによってドアボディーが開かれることを防止するので、ドアボディーに強制的に作用する外力による故障及び安全事故をあらかじめ予防することができる。
【図面の簡単な説明】
【００９６】
【図１】従来の一般的な洗濯機及び乾燥器の外部様をあらわした斜視図である。
【図２】従来のドアアセンブリー構造をあらわした斜視図である。
【図３】従来の洗濯機及び乾燥器におけるフックアセンブリーの組み立て位置をあらわした一部切開斜視図である。
【図４】従来の洗濯機及び乾燥器におけるフックアセンブリーの構成及び組み立て関係をあらわした一部分解斜視図である。
【図５】本発明による洗濯機及び乾燥器の外部様をあらわした斜視図である。
【図６】本発明によるドアアセンブリーの外部様をあらわした斜視図である。
【図７】本発明によるドアアセンブリーにおける取っ手をあらわした一部切開斜視図である。
【図８】本発明によるドアアセンブリーにおける取っ手の一実施例をあらわした部分分解斜視図である。
【図９】本発明によるドアアセンブリーにおける取っ手の他の実施例をあらわした部分断面図である。
【図１０】本発明による洗濯機及び乾燥器におけるドアボディーが開かれた様子をあらわした斜視図である。
【図１１】本発明によるドアアセンブリーにおけるフックアセンブリーの構造をあらわした斜視図である。
【図１２】本発明によるドアアセンブリーにおけるロックアセンブリーの構造をあらわした斜視図である。
【図１３】図１２でフックが挿入された様子をあらわした斜視図である。
【図１４】本発明によるドアアセンブリーにおいてドアボディーの閉まる時、フックがロックアセンブリーに挿入される過程をあらわした部分断面図である。
【図１５】本発明によるドアアセンブリーにおける固定片とスライダーの結合関係をあらわした部分断面図である。
【図１６】図１３でロッキング装置が作動した様子をあらわした斜視図である。
【図１７】本発明によるドアアセンブリーにおいてロッキング装置が作動した場合にドアボディーが開かれることが防止される構造をあらわした部分断面図である。
【図１】
2005514542.tif 000003
【図２】
2005514542.tif 000004
【図３】
2005514542.tif 000005
【図４】
2005514542.tif 000006
【図５】
2005514542.tif 000007
【図６】
2005514542.tif 000008
【図７】
2005514542.tif 000009
【図８】
2005514542.tif 000010
【図９】
2005514542.tif 000011
【図１０】
2005514542.tif 000012
【図１１】
2005514542.tif 000013
【図１２】
2005514542.tif 000014
【図１３】
2005514542.tif 000015
【図１４】
2005514542.tif 000016
【図１５】
2005514542.tif 000017
【図１６】
2005514542.tif 000018
【図１７】
2005514542.tif 000019
【国際調査報告】
2005514542.tif 000020
2005514542.tif 000021